(57)【要約】【課題】  バッチ処理可能な紙葉類処理装置において、バッチ毎の排除券を集積部カセットに収納又は施封するようにしたバッチ処理可能な紙葉類処理装置。【解決手段】  操作表示部５５２からカセットアサインを行う。このカセットアサインによって、排除券を集積するための集積装置が設定される（Ｓ１０）。次に、処理ボックスにセットされたバッチを供給部１０にセットする（Ｓ１１）。ダミーカード、排除券、バッチカードは設定された排除券集積装置（例えば集積装置５７のカセット５７Ｄ）に集積される。このカセットからバッチ毎に排除券が取り出され、バッチカード番号、券種、枚数などが操作員によって入力される。複数のバッチが存在する場合には、バッチ毎に上記処理が繰り返される。【選択図】  図２
2007156731.tif 000002
【特許請求の範囲】
【請求項１】
複数の処理単位毎に集積された紙葉類が一括して供給された供給部から１枚ずつ取り出して搬送し、前記紙葉類を区分処理する紙葉類処理装置であって、
前記処理単位毎に区分された前記紙葉類の先端に挿入された第１のカードと、
前記処理単位毎に区分された前記紙葉類の後端に挿入され識別符号が付与された第２のカードと、
前記第１のカード及び前記第２のカードを検出する検出手段と、
前記紙葉類を判別する紙葉類判別手段と、
前記第２のカードに付与された識別符号を読み取る読取手段と、
この紙葉類判別手段による判別の結果に基づいて前記紙葉類を区分する区分手段と、
この区分手段で設定される紙葉類、並びに前記第１のカード、前記第２のカード、及び前記紙葉類判別手段による判別の結果排除された排除券からなる排除券群の区分手段を設定する設定手段と、
を備えたことを特徴とする紙葉類処理装置。
【請求項２】
前記区分手段は、
複数の集積装置又は／及び複数の施封装置で構成され、前記排除券群を区分する区分手段が前記集積装置で構成されたことを特徴とする請求項１記載の紙葉類処理装置。
【請求項３】
前記区分手段は、
複数の集積装置又は／及び複数の施封装置で構成され、前記排除券群を区分する区分手段が前記施封装置で構成され、前記処理単位毎に結束帯で施封することを特徴とする請求項１記載の紙葉類処理装置。
【請求項４】
前記結束帯には、
前記排除券群を区分する区分情報、及び排除券の種類・枚数に関する情報が印字されることを特徴とする請求項３記載の紙葉類処理装置。
【請求項５】
前記施封装置は、
前記排除券群の枚数が所定枚数を超えたとき、前記所定枚数による施封を行い、前記読取手段によって前記第２のカードが読み取られたとき、前記排除券の残数と前記第２のカードからなる排除券群を前記結束帯で施封することを特徴とする紙葉類処理装置。
【発明の詳細な説明】
【技術分野】
【０００１】
本発明は、有価証券などの紙葉類を、バッチカードを用いて区分して判別処理するバッチ処理可能な紙葉類処理装置に関し、特に判別処理中に発生した排除券も集積・施封できるようにした紙葉類処理装置に関する。
【背景技術】
【０００２】
有価証券などの紙葉類を処理する紙葉類処理装置は、一括して投入された紙葉類を一定間隔に１枚ずつ取り出して搬送し、紙葉類判別装置によって当該紙葉類の種類（以下、券種と称する）判別、搬送方向判別、真偽判別（真券か偽券か）、及び正損判別（再流通可能な正券か再流通不可能な偽券か）を行い、この判別結果に基づいて紙葉類を区分し、施封装置又は集積装置などの処理装置に振り分けて処理する装置である。
【０００３】
この際、バッチ処理可能な紙葉類処理装置では、小口のバッチ処理を行う場合、バッチ処理の単位毎に、バッチカードとダミーカードの間に処理する紙葉類を挟みこんで区分して処理するバッチカード処理と称される方法が知られている。
【０００４】
バッチカード及びダミーカードは処理する紙葉類と異なるため、後述する排除券扱いとなり、排除券集積部に集積される。その際、バッチカード及びダミーカードの間に挟まれて集積された紙葉類が当該バッチ処理で排除された紙葉類であることが分かるようになっている。そのため、このバッチカードにはバーコードなどで識別符号が印刷されている。
【０００５】
このバッチカード処理では、処理ステップを３段階（前処理、装置処理、排除券処理）に分けて行われている。
【０００６】
第１段階は前処理段階で、紙葉類を紙葉類処理装置で処理する前の段階である。操作員が紙葉類を受け入れてバッチカードを発行し、処理ボックスにバッチカード、紙葉類、ダミーカードの順番にセットするフェーズである。バッチカード及びダミーカードは、一方の紙葉類の集合と、他方の紙葉類の集合とを区分するためのもので、このバッチカード、紙葉類、ダミーカードの組み合わせで１つの処理単位である１バッチとなる。従って、処理ボックスの中には、複数のバッチが存在することになる。
【０００７】
第２段階は装置処理の段階で、操作員によってセットされた処理ボックス内の紙葉類を紙葉類処理装置で区分処理するフェーズである。操作員が紙葉類（バッチカード、ダミーカードを含む）を紙葉類処理装置の取込部にセットし、処理を開始すると、紙葉類処理装置は、セットされた紙葉類を一定間隔に１枚ずつ取り出して搬送し、上述した区分処理を行う。
【０００８】
第３段階は排除券処理の段階で、操作員が排除券を処理する段階である。操作員は、紙葉類処理装置から排除された紙葉類を、バッチカード番号をキーにしてキー入力するフェーズである（例えば、特許文献１参照）。
【特許文献１】特開２００２−３３４３６２号公報  （第５頁、図５）
【発明の開示】
【発明が解決しようとする課題】
【０００９】
しかしながら、従来の紙葉類処理装置では、ダミーカード及びバッチカードによって先に処理されるバッチと次に処理されるバッチが分けられ、第２段階である装置処理の後、排除券集積部にダミーカード、排除券、バッチカードの順番に集積される。その後、第３段階で排除券処理が操作員によって行われるが、その際、以下に示す課題がある。  
（１）排除券集積部にきちっと集積されない状態でバッチ処理業務が進行してしまうと、バッチ間の集積順番が不明になり、紙葉類の入り繰りが発生してしまう場合がる。  
（２）従来の排除券集積部の集積容量は３０枚程度であり、満杯になると装置が停止して、操作員には排除券集積部から排除券を抜き取る作業が発生する。  
（３）排除券を抜き取る時に搬送されてきた排除券がちょうど集積されたりすると、排除券で怪我をする可能性がある。また、排除券が排除券集積部より飛び出してしまい入り繰りが発生すると、原因の追求と回復に時間がかかる。
【００１０】
本システムでは、上述したバッチ間の紙葉類の入り繰りは、バッチの入り繰りを意味し、紙葉類処理装置の信頼性を失うため、極力防止しなければならない。
【００１１】
本発明は、上記課題を解決するためになされたもので、排除券を集積部又は施封部に集積することによって、排除券の入り繰りを防止し、信頼性の高い紙葉類処理装置を提供することを目的とする。
【課題を解決するための手段】
【００１２】
上記目的を達成するために、本発明の請求項１記載の紙葉類処理装置は、複数の処理単位毎に集積された紙葉類が一括して供給された供給部から１枚ずつ取り出して搬送し、前記紙葉類を区分処理する紙葉類処理装置であって、前記処理単位毎に区分された前記紙葉類の先端に挿入された第１のカードと、前記処理単位毎に区分された前記紙葉類の後端に挿入され識別符号が付与された第２のカードと、前記第１のカード及び前記第２のカードを検出する検出手段と、前記紙葉類を判別する紙葉類判別手段と、前記第２のカードに付与された識別符号を読み取る読取手段と、この紙葉類判別手段による判別の結果に基づいて前記紙葉類を区分する区分手段と、この区分手段で設定される紙葉類、並びに前記第１のカード、前記第２のカード、及び前記紙葉類判別手段による判別の結果排除された排除券からなる排除券群の区分手段を設定する設定手段と、を備えたことを特徴とする。
【発明の効果】
【００１３】
本発明によれば、排除券群を集積部又は施封部に集積することができるので、排除券の入り繰りを防止できる。
【発明を実施するための最良の形態】
【００１４】
以下、図面を参照して本発明の実施例を説明する。
【実施例１】
【００１５】
図１は、本発明のバッチカードを用いた紙葉類処理装置を備えた紙葉類処理システム図である。この紙葉類処理システムには、紙葉類処理装置１１０、上位システムＤＢ（データベース）１００、前処理用情報登録ＰＣ（パーソナル・コンピュータ）１２０、及び排除券入力用情報登録ＰＣ１３０が設けられている。
【００１６】
情報登録ＰＣ１２０には、ハンドスキャナ１２１が接続されており、第２のカードであるバッチカードの登録処理が行われる。バッチカードの登録処理とは、バッチカードに印刷されている識別符号であるバーコードをハンドスキャナ１２１で読み取り、その読み取りデータを上位システムＤＢ１００に送信することである。このようにして登録されたバッチカード、紙葉類、ダミーカードを処理ボックス（図示しない）にセットする。なお、本実施例では、バッチカード及びダミーカードは、紙葉類と区別できるベースカラーが用いられる。このようにして、処理ボックスにセットされた１つの処理単位である１バッチの紙葉類は、紙葉類処理装置１１０に供給される。
【００１７】
紙葉類処理装置１１０は、操作部５５０及び紙葉類処理部１で構成され、上位システムＤＢ１００に通信回線を経て接続されている。  
操作部５５０は、紙葉類処理部１で行う業務内容の指示、この指示された業務内容に基づく取引内容の指定、及び紙葉類処理部１での取引結果を入手し、その入手結果を上位システムＤＢ１００に送信する。すなわち、紙葉類処理部１で読み取ったバーコードで構成されたバッチカード番号及び処理した計数金額を送信する。
【００１８】
紙葉類処理部１は、操作部５５０に接続され、操作部５５０からの取引指示に基づいて、上記処理ボックスにセットされた紙葉類が供給される。上記紙葉類処理部１によって紙葉類が１枚ずつ判別され、その判別結果に基づいて区分処理される。
【００１９】
従来、この紙葉類処理中に排除券が発生した場合、この排除券は、リジェクト集積部８０に、ダミーカード、排除券（リジェクト券）、バッチカードの順番に集積される。しかしながら、本実施例では、上記リジェクト集積部８０の替わりに、例えば集積装置５７が用いられる。この集積装置は、リジェクト集積部８０に比べて集積能力が高い。リジェクト集積部８０の集積枚数は、５０枚程度であるが、集積装置５７の一時集積庫は３００枚まで集積可能であり、カセットは２０００枚まで集積可能である。
【００２０】
排除券入力用登録ＰＣ１３０には、ハンドスキャナ１３１が接続されており、上記集積装置５７に集積された排除券群の排除券入力処理が行われる。排除券は、ダミーカード（第１のカード）及びバッチカード（第２のカード）に挟まれて集積部５７に集積されている。操作員は、この集積装置５７から各処理単位である１バッチ毎取り出して当該バッチカードに印字されているバーコードをハンドスキャナ１３１で読み取る。読み取った結果は情報登録ＰＣ１３０の表示部に表示される。また、排除券の供給元を示すアカウント番号、排除券の券種及び枚数からなる金額が情報登録ＰＣ１３０の表示部又は入力部から入力される。これら入力されたデータは、上位システムＤＢ１００に送信される。
【００２１】
図２は、本発明の実施例による紙葉類処理装置１１０の概略断面図である。紙葉類処理装置１１０は、紙葉類処理部１及び操作部５５０で構成されている。
【００２２】
操作部５５０に接続された操作表示部５５２から操作員の操作によって、入金業務、整理業務などの取引方法の設定、処理した紙葉類Ｐを収納する収納庫（以下、カセットと称する。）を設定するカセットアサイン、及び紙葉類Ｐの正損レベル設定などが行われる。本実施例では、設定手段としての上記操作表示部５５２から上記カセットアサインの際に、上記排除券群を収納するカセットを設定することができる。実施例では、カセットとして集積装置５７のカセット５７Ｄが用いられる。
【００２３】
この設定の後、供給部１０に供給された複数券種の紙葉類Ｐが一定の間隔で１枚ずつ取り出されて搬送され、上記カセットアサインによって設定されたカセット（５７Ｄ〜６２Ｄ）に収納、又は施封される。
【００２４】
また、設定した業務の取引終了時には、各業務終了に伴う取引の区切り処理が行われる。さらに、１日の業務終了などの単位で取引計数を集計し、上位システムＤＢ１００に取引結果を通知するバランス処理が行われる。この上位システムＤＢ１００には、例えば、本実施例の紙葉類処理装置１１０が複数台接続され、各紙葉類処理装置１１０の稼動状況の把握や、各紙葉類処理装置１１０からの処理結果の集計を行うことができる。
【００２５】
入金業務とは、予め合計金額のわかっている複数券種の紙葉類Ｐを、紙葉類処理装置１１０を用いて、券種毎、搬送方向毎、正損毎に区分し、紙葉類処理装置１１０で計数した金額が正しいことを確認し、上位システムＤＢ１００に登録する業務である。なお、この業務によって処理された紙葉類Ｐは、上述した集積装置５７〜６２の各カセット５７Ｄ〜６２Ｄに集積され、又は施封部４で施封される。
【００２６】
整理業務とは、入金業務において上位システムＤＢ１００に計数を登録しない業務である。取引した券種を計数することが目的ではなく、一度入金業務などで計数を行った券種をさらに詳細に（例えば、表裏及び正損毎に）集積装置５７〜６２の各カセット５７Ｄ〜６２Ｄに集積したり、施封を行ったりするために使用する。
【００２７】
カセットアサインとは、集積装置５７〜６２の各カセット５７Ｄ〜６２Ｄに収納する券種、及び施封部で施封する券種を設定することである。本実施例では、このカセットアサインによって排除券を、集積装置５７に集積するように設定した場合を説明している。
【００２８】
正損レベル設定とは、再流通可能な正券と再流通不可能な損券に区分する閾値である正損判別レベルを設定することである。詳細は後述するが、正損判別レベルの値が大きくなるほど損券枚数が多くなる。
【００２９】
取引の区切り処理とは、各取引終了後、例えば操作表示部５５２に設けられた完了ボタン（図示しない）が押下されたとき、上記集積装置５７〜６２に集積された紙葉類を各カセット５７Ｄ〜６２Ｄに収納する処理のことで、紙葉類が収納された各カセットは、操作員によって空のカセットと交換される。
【００３０】
ここで、紙葉類Ｐが搬送されるときの搬送方向について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送方向が形成される。
【００３１】
紙葉類処理部１は、紙葉類Ｐを供給する供給部１０と、この供給部１０から供給された紙葉類Ｐを１枚ずつ取り出す紙葉類取出部２００と、この紙葉類取出部２００によって取り出される紙葉類の色からバッチカードを検出する検出手段としてのバッチカード検出装置８と、紙葉類取出部２００によって取り出された紙葉類Ｐを搬送する搬送路１６とを有している。また、この搬送路１６によって搬送される紙葉類Ｐの搬送スキュー、搬送位置ずれ（搬送スライド）を補正する搬送補正部２１０が配置されている。さらに、この搬送補正部２１０によって搬送補正された紙葉類Ｐを１枚ずつ判別する紙葉類判別手段としての紙葉類判別部１９、及び上記バッチカード（第２のカード）のバーコード（識別符号）を読み取る読取手段としてのバーコードリーダ７０が搬送路１６に沿って配置されている。紙葉類判別部１９による紙葉類の判別結果、バッチカード検出装置８の読取結果、及びバーコードリーダ７０の読取結果は、紙葉類処理装置１１０を制御する主制御部５００に送信される。主制御部５００は、受信した判別結果に基づいて、後述する搬送制御部、施封制御部４００を制御する。搬送制御部は、紙葉類の搬送を制御するもので、分岐ゲートＧ１、Ｇ２、・・・Ｇ８、及び搬送方向を揃えるために反転する反転処理部を制御する。このようにして搬送方向の揃えられた紙葉類Ｐは、操作表示部５５２によって設定された区分方法に基づいて区分手段である複数の施封装置で構成される施封部４で施封され、又は区分手段である複数の集積装置で構成される集積部５０で集積される。
【００３２】
さらに、紙葉類処理部１はインターフェース５０１を介して操作部５５０に接続されている。以下、紙葉類処理部１の構成を紙葉類Ｐの供給部１０から順に説明する。
【００３３】
上記供給部１０は、４種類の搬送方向が混在する紙葉類Ｐを当接して整位するステージ１１と、このステージ１１に対して鉛直方向に立設したバックアッププレート１２とで構成されている。また、このバックアッププレート１２は、バネ１３の付勢力によってステージ１１に沿って左側に移動可能になっている。このようにして供給された紙葉類Ｐは、バックアッププレート１２によりピックアップローラ５側に圧接される。この状態において、紙葉類Ｐは、取り出しローラ３０が回転することにより一定間隔を有して１枚ずつ取り出されて搬送路１６に繰り出される。
【００３４】
搬送補正部２１０は、搬送ローラ２１１の搬送方向下流に近接して設置されて紙葉類Ｐを検知するタイミングセンサＳＣ１と、搬送ローラ２１３、２１４及び図示しない搬送ガイドで構成される。
【００３５】
分岐ゲートＧ１は、例えば、排除券（リジェクト券）と、処理券とに振り分けるゲートであるが、本実施例では、分岐ゲートＧ１を左側に回動され、ダミーカード、紙葉類、バッチカードからなる全ての媒体が分岐ゲートＧ２側に搬送される。
【００３６】
上記リジェクト券とは、紙葉類判別部１９で紙葉類Ｐを判別した結果、紙葉類Ｐが偽券、又は折れ、破れ、スキューなどにより判別のできない「判別不能券」と判別された紙葉類をいう。
【００３７】
また、処理券とは、紙葉類判別部１９で判別された紙葉類Ｐが真券で正券、又は真券で損券をいう。搬送制御部は、その判別結果を受信すると、分岐ゲートＧ１を左側（反時計方向）に回動して、当該紙葉類を区分処理する。
【００３８】
反転処理部は、スイッチバック反転部（図示しない）及び表裏反転部９で構成され、取り揃える方向により上記スイッチバック反転部及び表裏反転部９の一方、若しくは両方が使用される。
【００３９】
分岐ゲートＧ２は、表裏反転分岐ゲートである。紙葉類判別部１９で判別された紙葉類Ｐの搬送方向の判別結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００４０】
表裏反転部９は、紙葉類判別部１９で判別された結果に基づき、紙葉類Ｐの搬送方向の表裏を反転する。例えば搬送方向が裏正（ＢＦ）の場合、表裏反転部９によって表正ＦＦになる。
【００４１】
分岐ゲートＧ３は、搬送される紙葉類Ｐを搬送路１６から施封部４、又は集積部５０に分岐する分岐ゲートである。搬送される紙葉類Ｐが主制御部５００によって施封するように指定された券種の場合、搬送制御部は、分岐ゲートＧ３を右側（時計方向）に回動し、紙葉類Ｐを施封部４が設けられている図示矢印Ａ４０の方向に搬送する。また、それ以外の券種の紙葉類Ｐは、分岐ゲートＧ３から分岐ゲートＧ４〜Ｇ８を経由して集積装置５７〜６２に集積するように振り分けられる。
【００４２】
施封部４及び集積部５０には、紙葉類Ｐが搬送される搬送路から分離するために搬送路の終端に紙葉類Ｐを集積する集積装置として羽根車集積装置が設けられている。
【００４３】
この羽根車集積装置は、例えば、排除券を集積する集積装置５７の場合、羽根車５７Ａ、一時集積庫５７Ｂ、シャッター５７Ｃ、カセット５７Ｄ、及び集積を補佐するプッシャ（図示しない）などの装置で構成される。
【００４４】
羽根車５７Ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉類Ｐの運動エネルギーを吸収しながら、かつ、紙葉類Ｐを整位しながら一時集積庫５７Ｂに集積する。
【００４５】
一時集積庫５７Ｂは、集積装置５７で使用される一時集積庫５７Ｂと、施封部４の一時集積庫４２Ｂとでは以降で処理する目的が異なるために形態が異なっている。
【００４６】
集積装置５７で使用される一時集積庫５７Ｂには、シャッター５７Ｃが備えられており、このシャッター５７Ｃの上に紙葉類Ｐが集積される。そして、このシャッター５７Ｃに集積された紙葉類Ｐは、例えば満杯になったとき、又は業務終了指示（図示しない）などがあると、シャッター５７Ｃが開き、シャッター５７Ｃ下部に設けられたカセット５７Ｄに設けられたバックアッププレート（図示しない）の上に落下する。落下した紙葉類Ｐは、プッシャーによってカセット５７Ｄに押し込まれる。従って、押し込まれる紙葉類の枚数が増えるとバックアッププレートは下側に移動する。以上の動作は、集積装置５７〜６２で共通である。本実施例では、この集積装置５７にダミーカード、排除券、バッチカードが集積され、それ以外の正券はカセットアサインによって設定された集積装置に集積される。
【００４７】
施封部４は、第１集積部４２、第２集積部４３、搬送部、紙帯部４６、帯送り部４７、帯巻き部４８で構成される。本実施例では、施封部４が、上記第１集積部４２、第２集積部４３を有している場合を説明するが、必要に応じてこれら２個の集積部を対にして複数セット用いてもよい。
【００４８】
第１集積部４２及び第２集積部４３は、共に同様に構成されているため、第１集積部４２についてその構成を説明し第２集積部４３の説明を省略する。
【００４９】
第１集積部４２には、施封搬送路４０Ａから紙葉類を分岐する分岐ゲートＧ１２、振り分けられた紙葉類Ｐを搬送する搬送路４０Ｂ、搬送路４０Ｂの終端から送り出された紙葉類を受け取る羽根車４２Ａ、この羽根車４２Ａによって受け取られた紙葉類Ｐを集積する一時集積庫４２Ｂ、集積された紙葉類Ｐを押圧するプッシャー（図示しない）が設けられている。以下、施封部４の各部構成について詳細に説明する。
【００５０】
一時集積庫４２Ｂは、搬送される紙葉類Ｐを計数し１００枚毎に区分して集積するバックアッププレート４２Ｃを備えている。
【００５１】
搬送部は、縦搬送路４４Ａ、４４Ｂ、搬送キャリア４４Ｄ、及び横搬送路４４Ｃから構成される。縦搬送路４４Ａ、４４Ｂは、バックアッププレート４２Ｃ、４３Ｃで受けた１００枚紙葉類４５を上昇又は下降するためのものである。また、搬送キャリア４４Ｄは、縦搬送路４４Ａ又は縦搬送路４４Ｂの停止位置でバックアッププレート４２Ｃ又は４３Ｃから１００枚紙葉類４５を受け、施封トレイ（図示しない）に渡すために横搬送路４４Ｃ上を往復移動することができるように構成される。
【００５２】
紙帯部４６は、施封トレイに積載された１００枚紙葉類４５を施封するための紙帯４６Ａ、この紙帯４６Ａに印刷するための印刷機能と印刷された紙帯４６Ａを送る機能とを備えた帯送り部４７、１００枚紙葉類４５を帯送り装置から送られた印刷済み紙帯で施封する帯巻き部４８、及び施封部４を制御する施封制御部４００とで構成される。
【００５３】
図３は、主制御部５００に接続される紙葉類判別部１９、搬送制御部２６、施封制御部４００、及び操作部５５０の接続状態を示すブロック図である。
【００５４】
主制御部５００は、操作部５５０の指示に基づいて、搬送された紙葉類Ｐの判別結果を紙葉類判別部１９から受信し、紙葉類Ｐを区分処理するために、搬送制御部２６、及び施封制御部４００を制御する。また、紙葉類Ｐの判別結果を操作部５５０に送信する。
【００５５】
紙葉類判別部１９は、正損レベル検知手段として紙葉類Ｐの光学的特性を検知する。また、真偽検知手段として紙葉類Ｐの磁気的特性を検知する。これらの検知を行うための複数のセンサ１〜ｎが設けられており、これらセンサ１〜ｎの出力信号を増幅する増幅回路１〜ｎ、この増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から真偽判別手段によって真偽（本物か偽物か）が判別され、正損判別手段によって正損（正券か損券か）が判別される。紙葉類判別部１９の全体を制御するＣＰＵ２１と、このＣＰＵ２１によってアクセスされる記憶部２５、及びＣＰＵ２１で判別された結果を主制御部５００との間で通信するためのＩ／Ｆ部２２とで構成される。
【００５６】
搬送制御部２６は、紙葉類判別部１９の判別結果により、搬送される紙葉類Ｐの行き先を決定して、紙葉類Ｐの搬送制御を行うＣＰＵ２７と、このＣＰＵ２７によってアクセスされる記憶部２９と、主制御部５００とのＩ／Ｆ部２８とで構成される。
【００５７】
主制御部５００は、主制御部５００を制御するＣＰＵ５０４、記憶部５０５、インターフェース部５０３を備えており、紙葉類判別部１９、搬送制御部２６、及び施封制御部４００に接続される。また、インターフェース５０１を介して操作表示部５５２と接続される。
【００５８】
ＣＰＵ５０４は、操作表示部５５２から操作員によって設定された入金業務、整理業務などの取引方法の設定、処理した紙葉類Ｐを収納する収納庫を設定するカセットアサインの設定、及び紙葉類の判別レベルである正損判別レベル設定などの情報を紙葉類判別部１９に送信する。また、紙葉類Ｐの判別結果を紙葉類判別部１９から受信し、操作部５５０に送信する。ここでは、取引の区切り処理が行われた際の取引計数が送信される。
【００５９】
図４は処理ボックスに積載された紙葉類の状態を示す図である。図示した例は２バッチの紙葉類が処理ボックスに積載された状態を示しており、最初のバッチＰ１は、ダミーカード８１ａ、紙葉類群Ｐａ、及びバッチカード８１ｃで構成され、次のバッチＰ２は、ダミーカード８２ａ、紙葉類群Ｐｂ、及びバッチカード８２ｃで構成されており、ダミーカード８１ａから先に取り出されるように紙葉類処理装置１１０に供給される。
【００６０】
図５は、図４に示す紙葉類群Ｐ１、Ｐ２を紙葉類処理部１０の供給部１０に供給した状態を示す。図示したように、紙葉類群Ｐ１のダミーカード８１ａから先に１枚ずつ取り出される。なお、この取り出されたダミーカードは、紙葉類と異なるため、リジェクト集積部（集積装置５７）に集積される。一方、バッチカードは、バッチカードの色がバッチカード検出装置８で検出され、バッチカードであることが認識されると、バッチカードに印字されたバーコードがバーコードリーダ７０によって読み取られた後にリジェクト集積部（集積装置５７）に集積される。
【００６１】
図６は、排除券を集積装置に集積する場合のバッチカード入金処理の流れを示すフローチャートである。バッチカード処理とは、現金処理センターや銀行などで、紙葉類の受け入れ業務を行う際の業務手法である。本実施例では、入力業務を前処理、装置処理、排除券処理の３段階に分担して行う例を説明する。
【００６２】
前処理では、操作員による紙葉類受け入れフェーズであり、操作員は、受け入れた紙葉類のバッチ毎にバッチカードを発行（バッチカード番号を登録）し、発行されたバッチカードと、紙葉類を分離するためのダミーカードとの間に処理する紙葉類を挟みこんで処理ボックスにセットする。このバッチカード、紙葉類、ダミーカードの組み合わせで１バッチが形成される。小口バッチでは、処理ボックスの中に複数のバッチが存在することになる（Ｓ１）。
【００６３】
装置処理では、前処理でセットされた処理ボックスの紙葉類をバッチ毎に区分処理するフェーズである。最初に、操作部５５０の操作表示部５５２からカセットアサインを行う。このカセットアサインによって、各券種を収納又は集積するためのカセットアサインと共に、排除券を集積するための集積装置が設定される（カセットアサイン）（Ｓ１０）。この排除券の集積に集積装置５７を使用した場合、一時集積庫５７Ｂには３００枚まで集積でき、カセット５７Ｄには２０００枚まで収納できる。従来から使用されているリジェクト集積庫に集積できる紙葉類の枚数は３０枚程度であるから格段に集積容量が増加する。
【００６４】
次に、処理ボックスにセットされたバッチを供給部１０にセットする（Ｓ１１）。
【００６５】
紙葉類処理部１のバッチカード検出装置８は、最初に供給された媒体の色を検出する。この検出の結果、ダミーカードであれば（Ｓ１２のＹｅｓ）、このダミーカードをカセットアサインで設定した排除券集積装置に集積する（Ｓ１６）。
【００６６】
ステップＳ１２において、ダミーカードの色ではなく（Ｓ１２のＮｏ）、バッチカードの色であれば（Ｓ１３のＹｅｓ）、バーコードリーダ７０によってバーコードが読み取られ、上位システムＤＢ１００に送信される（Ｓ１４）。
【００６７】
ステップＳ１３において、バッチカードの色でない（Ｓ１３のＮｏ）場合は、紙葉類判別部１９によって判別される。判別の結果、上述した判別不能券の場合、排除券として上記カセットアサインで設定した排除券集積装置に集積する（Ｓ１６）。
【００６８】
上記判別の結果、処理券の場合、カセットアサインに基づいて集積又は施封される（Ｓ１７）。
【００６９】
複数のバッチが存在する場合は、ステップＳ１０からステップＳ１７まで繰り返す。全てのバッチの装置処理が終了すると、排除券集積装置から排除券を取り出して、バッチカード番号、券種、枚数などの伝票金額を情報登録ＰＣ１３０から入力する（排除券処理、Ｓ２）。
【００７０】
以上述べたように、本発明によれば、排除券集積装置の容量が十分であるために、処理途中に排除券を抜き取る必要がない。この結果、紙葉類の入り繰りを防止でき、信頼性の高い紙葉類処理装置にすることができる。
【実施例２】
【００７１】
次に、本発明の実施例２を説明する。本実施例２の構成は、ダミーカード、排除券、バッチカードからなるバッチ毎の排除券処理が異なる以外は、実施例１と同様であるため、異なる部分のみ説明し、同一部分の説明を省略する。
【００７２】
本実施例２では、前述した施封部４で、通常紙葉類の施封の他に、バッチ毎の排除券の施封を行う。この場合は、通常紙葉類を施封するための一時集積部として例えば第３集積部（図示しない）及び第４集積部（図示しない）を用い、第１集積部を排除券集積部として用いる。集積部５０は、実施例１同様カセットに集積する券種がアサインされる。
【００７３】
図７は、排除券を施封装置で施封する場合のバッチカード入金処理の流れを示すフローチャートである。前処理は、実施例１と同じであるため、その説明を省略する。
【００７４】
装置処理では、前処理でセットされた処理ボックスの紙葉類をバッチ毎に区分処理するフェーズである。最初に、操作部５５０の操作表示部５５２からカセットアサインを行う。このカセットアサインによって、各券種を集積又は施封するためのカセットアサインと共に、排除券を施封するための施封集積部が設定される（カセットアサイン）（Ｓ２０）。
【００７５】
次に、処理ボックスにセットされたバッチを供給部１０にセットする（Ｓ２１）。
【００７６】
紙葉類処理部１のバッチカード検出装置８は、最初に供給された媒体の色を検出する。この検出の結果、ダミーカードであれば（Ｓ２２のＹｅｓ）、このダミーカードをカセットアサインで設定した施封集積部に集積する（Ｓ２６）。
【００７７】
ステップＳ２２において、ダミーカードの色ではなく（Ｓ２２のＮｏ）、バッチカードの色であれば（Ｓ２３のＹｅｓ）、バーコードリーダ７０によってバーコードが読み取られ、上位システムＤＢ１００に送信される（Ｓ２４）。本実施例では、このバッチカードが検出された場合、このバッチカードが検出された単位で施封を行う。この際、１バッチの大きさ（枚数）は、一定でないため、例えば、５０枚で施封されるバッチもあれば１２０枚で施封されるバッチもある。然しながら、施封可能な枚数には上限があるため、この上限(例えば、１５０枚)を越える排除券が発生した場合には、その上限値で施封が行われる。このようにして、このバッチの最後にバッチカードが検出されると、その段階でそれまでに集積された排除券とバッチカードの施封が行われる。
【００７８】
ステップＳ２３において、バッチカードの色でない（Ｓ２３のＮｏ）場合は、紙葉類判別部１９によって判別される。判別の結果、上述した判別不能券の場合、排除券として上記カセットアサインで設定した施封集積部に集積する（Ｓ２６）。
【００７９】
上記判別の結果、処理券の場合、カセットアサインに基づいて集積又は施封される（Ｓ２７）。
【００８０】
複数のバッチが存在する場合は、ステップＳ２０からステップＳ２７まで繰り返す。全てのバッチの装置処理が終了すると、施封集積部から排除券を取り出して、バッチカード番号、券種、枚数などの伝票金額を情報登録ＰＣ１３０から入力する（排除券処理、Ｓ２）。
【００８１】
以上述べたように、本発明によれば、排除券がバッチ毎に施封され、その内容が施封帯に印刷されるため、処理中の入り繰りは全くなくなる。その結果、信頼性の高い紙葉類処理装置にすることができる。
【図面の簡単な説明】
【００８２】
【図１】本発明の実施例１によるバッチカードを用いた紙葉類処理装置を備えた紙葉類処理システム図。
【図２】本発明の実施例１による紙葉類処理装置の概略断面図。
【図３】主制御部に接続される紙葉類判別部、搬送制御部、施封制御部、及び操作部の接続状態を示すブロック図。
【図４】処理ボックスに積載された紙葉類の状態を示す図。
【図５】図４に示す紙葉類群を紙葉類処理部に供給した状態を示す図。
【図６】本発明の実施例１による排除券を集積装置に集積する場合のバッチカード入金処理の流れを示すフローチャート。
【図７】本発明の実施例２による排除券を施封装置で施封する場合のバッチカード入金処理の流れを示すフローチャート。
【符号の説明】
【００８３】
Ｈ  １００枚紙葉類
Ｐ  紙葉類
Ｇ１〜Ｇ８  分岐ゲート
Ｇ１２〜Ｇ１４  分岐ゲート
１  紙葉類処理部
１０  供給部
１９  紙葉類判別部
４  施封部
４２〜４５  施封装置
４２Ｅ  横搬送路
４２Ｂ  一時集積庫
４２Ｆ  搬送キャリア
５０  集積部
５７〜６２  集積装置
４００  施封制御部
５００  主制御部
５０２  操作表示部
【図１】
2007156731.tif 000003
【図２】
2007156731.tif 000004
【図３】
2007156731.tif 000005
【図４】
2007156731.tif 000006
【図５】
2007156731.tif 000007
【図６】
2007156731.tif 000008
【図７】
2007156731.tif 000009